(57)【要約】【課題】意匠性を損なうこと無く、リモコン受光素子の保持部材の回動範囲を或る程度大きく設定できるリモコン受光装置を得る。【解決手段】このリモコン受光装置１は、所定のリモコン装置からのリモコン光を受光するものであり、受光窓３ａを有する筐体３と、筐体３の受光窓３ａに配設されてリモコン光を透過する窓用カバー部材５と、リモコン光を受光する受光素子７を保持し該受光素子７が筐体３の受光窓３ａに臨む様にして筐体３内に回動自在に配設された保持部材１１と、筐体３の外部に配設された操作部材１３と、筐体３内に配設されて操作部材１３の操作により保持部材１１を回動させることにより受光素子７の受光方向Ｐを方向変換させる回動機構１５とを備える。【選択図】        図１
2004343505.tif 000002
【特許請求の範囲】
【請求項１】
所定のリモコン装置からのリモコン光を受光するリモコン受光装置であって、
受光窓を有する筐体と、
前記筐体の前記受光窓に配設されて前記リモコン光を透過する窓用カバー部材と、
前記リモコン光を受光する受光素子を保持し該受光素子が前記筐体の前記受光窓に臨む様にして前記筐体内に回動自在に配設された保持部材と、
前記筐体の外部に配設された操作部材と、
前記筐体内に配設されて前記操作部材の操作に応じて前記保持部材を回動させることにより前記受光素子の受光方向を方向変換させる回動機構と、
を備えることを特徴とするリモコン受光装置。
【請求項２】
前記保持部材は、前記受光素子の受光方向を上下に方向変換可能にさせるべく上下回りに回動自在に配設されることを特徴とする請求項１に記載のリモコン受光装置。
【請求項３】
前記回動機構は、前記操作部材と連結された回転軸部と、前記回転軸部に配設された第１歯車と、前記保持部材に配設されて前記第１歯車の回転により回転される第２歯車とを備え、前記操作部材の操作に伴う前記第１歯車の回転により前記第２歯車を回転させることにより、前記保持部材を回動させることを特徴とする請求項１又は請求項２に記載のリモコン受光装置。
【請求項４】
更に、前記保持部材に前記受光素子の受光範囲を制限する遮光部材が配設されることを特徴とする請求項１〜請求項３の何れかに記載のリモコン受光装置。
【発明の詳細な説明】
【０００１】
【発明の属する技術分野】
本発明は、液晶プロジェクター装置等の画像投射装置等で用いられるリモコン装置からのリモコン光を受光するリモコン受光装置に関する。
【０００２】
【従来の技術】
一般に、リモコン受光装置のリモコン受光素子は、その中心軸上で受光感度が最も高くその中心軸から外れる程に受光感度が低下する受光特性を有している為、その受光範囲は余り広くない。その為、従来のリモコン受光装置の受光範囲も余り広くなかった。その為、従来のリモコン受光装置では、その設置場所によっては必要な受光範囲を確保できない場合があるという欠点があった。
【０００３】
この欠点を解決するものとして、リモコン受光素子が配設された受光部を筐体の外面の受光窓から外側に突出させる様に筐体内に回動自在に配設して、外側から指により受光部を回動させて受光部の受光方向を方向変換できる様にすることで、設置場所に応じて必要な受光範囲を確保できる様にしたリモコン受光装置（第１の従来技術）が提案されている（特許文献１）。
【０００４】
他方、一般にリモコン光には赤外線が用いられる。赤外線はあらゆる通常光に含まれており、蛍光灯等の或る一定のパルスを持った照明光にも含まれる。その為、蛍光灯等の照明光がリモコン受光装置に受光されると、リモコン光と混同して、リモコン受光装置が誤動作する場合があるという欠点がある。
【０００５】
この欠点を解決するものとして、遮光部材を設けて該遮光部材により蛍光灯等の照明光を遮光する様にしたリモコン受光装置（第２の従来技術）が提案されている（特許文献２，３）。
【０００６】
【特許文献１】
特開平６−２６１００４号公報（第２図）
【特許文献２】
特開２００１−２９４０７５号公報（図９）
【特許文献３】
特開２００２−１９０６１７号公報（図３）
【０００７】
【発明が解決しようとする課題】
第１の従来技術では、設置場所に応じて受光部の受光方向を適切な方向に方向変換できる様にする為に、受光部の回動範囲を或る程度大きく設定しておく必要がある（即ち筐体の受光窓を或る程度大きく形成しておく必要がある）。しかし、筐体の受光窓を大きく形成すると、受光窓と受光部との隙間から筐体の内部が露出して意匠性が損なわれるという欠点がある。
【０００８】
他方、第２の従来技術では、遮光部材の設置角度を調整できない為、リモコン受光装置の設置場所によっては、適切に照明光を遮光できない為に照明光によりリモコン受光装置が誤動作される場合や、遮光部材によりリモコン光が遮光されてリモコン光がリモコン受光装置に受光されない場合があるという欠点がある。
【０００９】
この発明は、上述の様な課題を解消する為になされたもので、第１の目的は、意匠性を損なうこと無く、リモコン受光素子を保持する保持部材（上記の受光部に対応する部材）の回動範囲を大きく設定できるリモコン受光装置を得るものである。
【００１０】
第２の目的は、保持部材の回動に伴って遮光部材の設置角度を変更できる様にすることで、設置場所に応じて保持部材が回動されて受光素子の受光方向が方向変換された場合でも、遮光部材により適切にリモコン光の受光を妨げること無く蛍光灯等の照明光を遮光できるリモコン受光装置を得るものである。
【００１１】
【課題を解決するための手段】
上記課題を解決する為には、請求項１に記載の発明は、所定のリモコン装置からのリモコン光を受光するリモコン受光装置であって、受光窓を有する筐体と、前記筐体の前記受光窓に配設されて前記リモコン光を透過する窓用カバー部材と、前記リモコン光を受光する受光素子を保持し該受光素子が前記筐体の前記受光窓に臨む様にして前記筐体内に回動自在に配設された保持部材と、前記筐体の外部に配設された操作部材と、前記筐体内に配設されて前記操作部材の操作に応じて前記保持部材を回動させることにより前記受光素子の受光方向を方向変換させる回動機構と、を備えるものである。
【００１２】
【発明の実施の形態】
＜実施の形態１＞
この実施の形態のリモコン受光装置１は、所定のリモコン装置（例えば液晶プロジェクター装置等の画像投射装置等で用いられるリモコン装置）からのリモコン光（例えば赤外線）を受光するものであり、図１及び図２の様に、受光窓３ａを有する筐体３と、筐体３の受光窓３ａに配設されてリモコン光を透過する窓用カバー部材５と、リモコン光を受光する受光素子７を保持し該受光素子７が筐体３の受光窓３ａに臨む様にして筐体３内に支持部材９により回動自在に支持されて配設された保持部材１１と、筐体３の外部に回転自在に配設されたハンドル（操作部材）１３と、筐体３内に配設されてハンドル１３の回転（操作）に応じて保持部材１１を回動させることにより受光素子７の受光方向Ｐを方向転換させる回動機構１５と、保持部材１１に配設されて受光素子７の受光範囲を制限する遮光部材１７とを備える。
【００１３】
筐体３は、遮光性部材により例えば直方体状の箱状に形成される。筐体３の外面上（例えば一の側面（図１では左側面）から上面に跨る適宜大きさの面部上）に受光窓３ａが形成される。受光窓３ａの縁部（例えば上側縁部）の裏面上には、窓用カバー部材５の後述の係止爪５ｂと係合される突起部３ｂが凸形成される。又、受光窓３ａの縁部（例えば左右側縁部）の裏面上には、受光窓３ａの内方に張り出して、窓用カバー部材５が筐体３内に落ちない様に窓用カバー部材５の裏面の縁部を支持する張出部３ｃが形成される。筐体３の下面には、図２の様に卓５１等の低所に載置される為の足部３ｄが配設されると共に、図３の様に天井５３から吊り下げられる為の天井吊下用部材３ｅがビス又は両面テープ等により取り付け・取り外し自在に配設される。
【００１４】
窓用カバー部材５は、少なくともリモコン光を透過する透過性部材により受光窓３ａの形状に合わせた形（ここでは平板状でその上部が裏面側に曲成した形）に形成される。窓用カバー部材５の縁部（ここでは上側縁部）の裏面上には、受光窓３ａの突起部３ｂと係合される係止爪５ｂが形成される。又、窓用カバー部材５の縁部（ここでは下側縁部）の裏面上には、受光窓３ａの縁部の裏面と係合される係止片５ｃが形成される。
【００１５】
この窓用カバー部材５は、以下の手順で筐体３の受光窓３ａに配設される。先ず、窓用カバー部材５の下側縁部の係止片５ｃが外側から受光窓３ａの下側縁部の裏面に係合される。そして、窓用カバー部材５の上側縁部の係止爪５ｂが外側から受光窓３ａの上側縁部の突起部３ｂに係合される。これに伴って、窓用カバー部材５の裏面の縁部が受光窓３ａの張出部３ｃに支持される様にして窓用カバー部材５が受光窓３ａに嵌め込まれる。この様にして窓用カバー部材５が筐体３の受光窓３ａに配設される。
【００１６】
保持部材１１は、例えば前面開放（図１では左側面開放）の箱状に形成されると共にその外面（ここでは後面（図１では右側面）の中央）に支持部材９により回動自在に支持される為の被支持部１１ａが設けられて形成される。保持部材１１の内部には、リモコン光を受光する受光素子７を実装した基板２３が、受光素子７が保持部材１１の開放前面に向けられる様にして収納配設される。保持部材１１の開放前面には、受光素子７の中心軸Ｐを含む上下方向の角範囲（中心軸Ｐから外れ過ぎない角範囲）θ内の方向から受光素子７に入射する光を通過させ、その角範囲θから上（下）に外れた角範囲α（β）内の方向から受光素子７に入射する光を遮光する様に遮光部材１７が配設される。
【００１７】
遮光部材１７は、保持部材１１の開放前面を閉塞する板状の遮光部材本体を有し、その遮光部材本体のうちの受光素子７の真正面部分に受光素子７の中心軸Ｐを含む上下方向の角範囲θ内の方向からの入射光だけを通過させる為の開口部１７ａが設けられて形成される。遮光部材１７の縁部には、保持部材１１の周側面に形成された係止孔１１ｂに係合される係止爪１７ｂが設けられる。この係止爪１７ｂが保持部材１１の係止孔１１ｂに係合することより、遮光部材１７が保持部材１１の開放前面に固定されて配設される。
【００１８】
回動機構１５は、例えばウォーム歯車機構として構成される。即ち、回動機構１５は、その一端部が筐体３の孔部３ｆから外側に突出されてその一端部にハンドル１３が連結された回転軸部１５ａと、回転軸部１５ａの他端部に配設されたウォーム（第１歯車）１５ｂと、ウォーム１５ｂと噛み合う様に保持部材１１に配設されたウォームホイール（第２歯車）１５ｃとを備える。ウォームホイール１５ｃは、その回転軸が保持部材１１の回動軸と一致する様に保持部材１１に配設される（ここでは、ウォームホイール１５ｃは、保持部材１１の被支持部１１ａと一体的に形成されて保持部材１１に配設される）。
【００１９】
この構成により、ハンドル１３が指により回転されると、そのハンドル１３の回転により回転軸部１５ａが回転してウォーム１５ｂが回転され、このウォーム１５ｂの回転によりウォームホイール１５ｃが回転して保持部材１１が回動され、この保持部材１１の回動により受光素子７の受光方向Ｐが方向変換されると共に遮光部材１７が回動されて遮光部材１７の設置角度が変更される。即ち、ハンドル１３が回転されると、遮光部材１７により受光素子７の中心軸Ｐを含む角範囲θ内の方向からの入射光が遮光されること無くその角範囲θから上（下）に外れた角範囲α（β）内の方向からの入射光だけが遮光される様にして、受光素子７の受光方向Ｐが方向変換される。
【００２０】
支持部材９は、▲１▼保持部材１１を該保持部材１１の被支持部１１ａにて回動自在に支持すると共に、▲２▼保持部材１１に配設されたウォームホイール１５ｃと回転軸部１５ａに配設されたウォーム１５ｂとが互いに噛み合う様に回転軸部１５ａを回転自在に支持する様に構成されて、筐体３の底面上に例えばビス等により配設される。
【００２１】
より詳細には、上記▲１▼の構成では、例えば保持部材１１の被支持部１１ａに回動軸部１１ｃが配設され、この回動軸部１１ｃが支持部材９により回転自在に支持されることにより、保持部材１１が支持部材９により回動自在に支持される。又、支持部材９には、例えばＬ字状の回動制限部９ｃが形成されており、保持部材１１が下回りに回動されて受光素子７の中心軸Ｐが所定方向（例えば受光窓３ａ側の真横方向）に向けられると、保持部材１１の後面の下半部が支持部材９の回動制限部９ｃに突き当たり、その回動制限部９ｃにより保持部材１１の下回りの回動が制止される。
【００２２】
上記▲２▼の構成では、支持部材９に軸通孔９ａを有する上下一対の軸支持部９ｂが設けられ、それら軸支持部９ｂ間にウォーム１５ｂが配置される様にして各軸支持部９ｂの軸通孔９ａに回転軸部１５ａが軸通されることにより、回転軸部１５ａが支持部材９により回転自在に支持される。この構成では、各軸支持部９ｂの軸通孔９ａに回転軸部１５ａが軸通されることにより、回転軸部１５ａが前後左右に位置決めされて支持される。そして、各軸支持部９ｂ間にウォーム１５ｂが配置されてウォーム１５ｂが上下方向に位置決めされることにより、回転軸部１５ａが上下方向に位置決めされて支持される。
【００２３】
次にリモコン受光装置１の設置場所に応じたリモコン光の受光方向Ｐの設定について説明する。
【００２４】
リモコン受光装置１を低所（例えば卓５１上）に設置する場合は、図２の様に、リモコン受光装置１をその足部３ｄを下側にして卓５１上に配置させる。そして、リモコン受光装置１のハンドル１３を回転させて受光素子７の受光方向Ｐを例えば真横方向に合わせる。これにより、真横方向を含む上下方向の角範囲θ内の方向からのリモコン光は、適切にリモコン受光装置１の受光素子７に受光され、その角範囲θより上に外れた角範囲α内の方向からの蛍光灯等の照明光は、リモコン受光装置１の遮光部材１７に遮光されて受光されない。これにより、蛍光灯等の照明光の受光による誤動作が防止される様にして必要な横方向の受光範囲が確保される。
【００２５】
他方、リモコン受光装置１を高所（例えば天井５３）に設置する場合は、図３の様に、リモコン受光装置１を上下逆さにして水平姿勢となる様に天井吊下用部材３ｅを用いて天井５３から吊り下げる。そして、リモコン受光装置１のハンドル１３を回転して受光素子７の受光方向Ｐを例えば斜め下方向に合わせる。これにより、斜め下方向を含む上下方向の角範囲θ内の方向からのリモコン光は、適切にリモコン受光装置１の受光素子７に受光され、その角範囲θより上に外れた角範囲β内の方向からの蛍光灯等の照明光は、リモコン受光装置１の遮光部材１７に遮光されて受光されない。これにより、照明光の受光による誤動作が防止される様にして必要な斜め下方向の受光範囲が確保される。
【００２６】
以上のように構成されたリモコン受光装置１によれば、筐体３の受光窓３ａに窓用カバー部材５が配設される為、保持部材１１の回動範囲を大きく設定する為に受光窓３ａを大きく形成しても、受光窓３ａから筐体３の内部が露出することを防止でき、これにより意匠性を損なうこと無くリモコン受光素子７の保持部材１１の回動範囲を大きく設定できる。
【００２７】
そして、筐体３の外部にハンドル１３が配設されると共に筐体３内に回動自在の保持部材１１及び回動機構１５が配設されて、回動機構１５によりハンドル１３の回転（操作）に応じて保持部材１１が回動されて受光素子７の受光方向Ｐが方向変換される為、受光窓３ａに窓用カバー部材５が配設されても、ハンドル１３の回転により、従来同様、外側から保持部材１１を回動できて受光素子７の受光方向Ｐを方向変換できる。
【００２８】
又、保持部材１１は、受光素子７の受光方向Ｐを上下に方向変換可能にさせるべく上下回りに回動自在に配設される為、設置場所の高さに応じて受光素子７の受光方向Ｐを上下に方向変換でき、これにより当該リモコン受光装置１が天井等の高所に設置された場合や卓上等の低所に設置された場合でも、必要な受光範囲を確保できる。
【００２９】
又、回動機構１５は、ハンドル１３と連結された回転軸部１５ａと、回転軸部１５ａに配設されたウォーム１５ｂと、保持部材１１に配設されてウォーム１５ｂの回転により回転されるウォームホイール１５ｃとを備え、ハンドル１３の回転に伴うウォーム１５ｂの回転によりウォームホイール１５ｃを回転させることにより、保持部材１１を回動させる為、簡易な機構によりハンドル１３の回転により外側から保持部材１１を回動できる。
【００３０】
又、遮光部材１７は保持部材１１に配設される為、保持部材１１の回動に伴って遮光部材１７を回動でき（即ち遮光部材１７の設置角度を変更でき）、これにより、設置場所に応じて保持部材１１が回動されて受光素子７の受光方向Ｐが方向変換された場合でも、遮光部材１７により適切にリモコン光の受光を妨げること無く蛍光灯等の照明光を遮光できる。
【００３１】
＜実施の形態２＞
実施の形態１では、回動機構１５をウォーム歯車機構として構成したが、ウォーム歯車機構に限定されるものではない。例えば回動機構１５をかさ歯車機構として構成してもよい。この場合もウォーム歯車機構の場合と同様の効果を得る。
【００３２】
＜実施の形態３＞
実施の形態１では、回動機構１５を歯車１５ｂ，１５ｃを用いて構成したが、歯車を用いずに構成する場合は、回動機構１５を、上述の構成の代わりに、回動軸部１１ｃを延長して該回動軸部１１ｃの一端部を筐体３の所定の穴部から外側に突出させてその一端部にハンドル１３を連結させ、そのハンドル１３の回転により回動軸部１１ｃを回転させて保持部材１１を回動させる様に構成すればよい。この様に構成すれば、より簡素な構成で回動機構１５を構成できる。
【００３３】
＜実施の形態４＞
実施の形態１では、保持部材１１が上下回りだけに回動する様に構成したが、更に保持部材１１が左右回りに回動する様に構成する場合は、更に▲１▼保持部材１１を支持部材９により左右回りに回動自在に支持させると共に▲２▼左右回りの回動用のハンドル及び回動機構を備えればよい。この様にする場合、例えば、上記▲１▼の支持の仕方として、支持部材９を該支持部材９の中心鉛直線回りに回転自在に筐体３の底面上に配設してもよい。そして、上記▲２▼の回動機構として、支持部材９に該支持部材９の中心鉛直線上に位置する様に左右回り用の回動軸部を配設し、この回動軸部の一端部を筐体３の底面の所定の孔部から突出させてその一端部にハンドルを連結させてもよい。これら▲１▼▲２▼の構成により、左右回り用のハンドルの回転により左右回り用の回動軸部が回転され、この回動軸部の回転により支持部材９が該支持部材９の中心鉛直線回りに（即ち左右回りに）回転され、この支持部材９の左右回りの回転により保持部材１１が左右回りに回動される。
【００３４】
【発明の効果】
請求項１に記載の発明によれば、筐体の受光窓に窓用カバー部材が配設される為、保持部材の回動範囲を大きく設定する為に受光窓を大きく形成しても、受光窓から筐体の内部が露出することを防止でき、これにより意匠性を損なうこと無くリモコン受光素子の保持部材の回動範囲を大きく設定できる。
【００３５】
そして、筐体の外部に操作部材が配設されると共に筐体内に回動自在の保持部材及び回動機構が配設されて、回動機構により操作部材の操作に応じて保持部材が回動されて受光素子の受光方向が方向変換される為、受光窓に窓用カバー部材が配設されても、操作部材の操作により、従来同様、外側から保持部材を回動できて受光素子の受光方向を方向変換できる。
【図面の簡単な説明】
【図１】この発明の実施の形態１のリモコン受光装置の断面構成概略図である。
【図２】この発明の実施の形態１のリモコン受光装置を卓上に設置した場合を説明する図である。
【図３】この発明の実施の形態１のリモコン受光装置を天井に設置した場合を説明する図である。
【符号の説明】
１  リモコン受光装置、３  筐体、３ａ  受光窓、５  窓用カバー部材、７  受光素子、９  支持部材、１１  保持部材、１３  ハンドル、１５  回動機構、１５ａ  回転軸部、１５ｂ  ウォーム、１５ｃ  ウォームホイール、１７  遮光部材、５１  卓上、５３  天井。
【図１】
2004343505.tif 000003
【図２】
2004343505.tif 000004
【図３】
2004343505.tif 000005